(57)【特許請求の範囲】
【請求項１】
容器の排出口へ連結可能な注出管１外面へ付設され、かつ下端部を注出管先端部へ連結させた柔軟管２の一側へ近接する第１挟持部４に形成した固定プレート３と、
下端部を柔軟管２を介して上記第１挟持部４へ当接可能な第２挟持部９に、かつ上端部を上記固定プレート３の上端部へ係合可能な押圧用操作端部に、それぞれ形成した可動プレート７とを有し、
該可動プレート７に上下方向への長孔８を形成し、
該長孔８を上記注出管１の先端部と上記柔軟管２の上部との両部へ挿入させて、長孔８下端を上記柔軟管２の他側へ係合させると共に、長孔８の左右両側面を上記注出管１へ回動自在に枢着し、
上記可動プレート７は、上記押圧用操作端部の係合解除により回動して、上記長孔下端が柔軟管２を偏平状に狭窄させた状態で第２挟持部９が第１挟持部４へ当接して柔軟管２を挟持することで流れを止める閉位置と、上記固定プレート３上端部への係合で第２挟持部９を第１挟持部４から離間させて柔軟管２を開放する開位置とを有することを特徴とするピンチコック。
【請求項２】
上記固定プレート３の上端部と可動プレート７の操作端部とのどちらか一方ないし双方に可動プレート７を開位置に保持させる係合部５を設けたことを特徴とする請求項１記載のピンチコック。
【請求項３】
上記固定プレート３と可動プレート７との間に、可動プレートを閉位置方向へ付勢するバネ１０を保持させたことを特徴とする請求項１又は２記載のピンチコック。
【請求項４】
上記注出管１の先端側を下方へ屈曲させることで形成された屈曲部へ上記長孔８を挿入させたことを特徴とする請求項１、２又は３記載のピンチコック。
【発明の詳細な説明】
【０００１】
【発明の属する技術分野】
本発明は、ゴム管等をはさんで液体の流れを止めるピンチコックに関する。
【０００２】
【従来の技術】
ピンチコックとして、ゴム管をはさんで流れを止める８の字形のばねが知られている。
【０００３】
【発明が解決しようとする課題】
上記従来のピンチコックの開操作は、ばねの両端部を狭める操作であるためやや面倒であった。また、開操作は手でばねを狭めた状態に保持する必要があり、これまた面倒であった。
【０００４】
請求項１に係る発明は、押圧による開操作を可能にすることを目的とする。
【０００５】
請求項２に係る発明は、請求項１記載の発明が有する解決課題を有するほか、可動プレートを開位置に保持可能にすることを目的とする。
【０００６】
請求項３に係る発明は、請求項１又は２記載の発明が有する解決課題を有するほか、ばねを設けることにより自動閉鎖を可能にすることを目的とする。
【０００７】
請求項４に係る発明は、請求項１、２又は３記載の発明が有する解決課題を有するほか、可動プレートの長孔を注出管外面へ挿入して枢着させることにより操作容易性とコンパクト化を図ることを目的とする。
【０００８】
【課題を解決するための手段】
第１の手段として、容器の排出口へ連結可能な注出管１外面へ付設され、かつ下端部を注出管先端部へ連結させた柔軟管２の一側へ近接する第１挟持部４に形成した固定プレート３と、
下端部を柔軟管２を介して上記第１挟持部４へ当接可能な第２挟持部９に、かつ上端部を上記固定プレート３の上端部へ係合可能な押圧用操作端部に、それぞれ形成した可動プレート７とを有し、
該可動プレート７に上下方向への長孔８を形成し、
該長孔８を上記注出管１の先端部と上記柔軟管２の上部との両部へ挿入させて、長孔８下端を上記柔軟管２の他側へ係合させると共に、長孔８の左右両側面を上記注出管１へ回動自在に枢着し、
上記可動プレート７は、上記押圧用操作端部の係合解除により回動して、上記長孔下端が柔軟管２を偏平状に狭窄させた状態で第２挟持部９が第１挟持部４へ当接して柔軟管２を挟持することで流れを止める閉位置と、上記固定プレート３上端部への係合で第２挟持部９を第１挟持部４から離間させて柔軟管２を開放する開位置とを有することを特徴とする。
【０００９】
第２の手段として、上記固定プレート３の上端部と可動プレート７の操作端部とのどちらか一方ないし双方に可動プレート７を開位置に保持させる係合部５を設けたことを特徴とする。
【００１０】
第３の手段として、第１又は第２の手段を有すると共に、上記固定プレート３と可動プレート７との間に、可動プレートを閉位置方向へ付勢するバネ１０を保持させた。
【００１１】
第４の手段として、上記注出管１の先端側を下方へ屈曲させることで形成された屈曲部へ上記長孔８を挿入させたことを特徴とする。
【００１２】
【発明の実施の形態】
図１及び図２はピンチコックの開状態を示すもので、同図において、１は注出管で、中間部よりも先端側部分を下方へほぼ直角に屈曲させ、かつ下端部内面からゴム管等の柔軟管２を垂下する。また、注出管の基端側部分外面には注出管１の外径よりも幅広の垂直固定プレート３を付設している。該固定プレートの下端部は柔軟管２方向へ傾斜して第１挟持部４を形成する。一方、固定プレート３の上端部は注出管１内の流れの下流方向へほぼ水平に屈曲し、かつ先端部下面に係合爪５を形成する。
【００１３】
７は可動プレートで、上下方向へ長い湾曲板体の中間部に上下方向の長孔８を穿設して、該長孔を注出管１の先端側部分外面へ挿入させ、かつ長孔の両側面を注出管１の中間部外面へ回動自在に枢着させている。可動プレート７の下端部には柔軟管２方向へ突出する突部が形成され、該突部が固定プレート３の第１挟持部４へ当接可能な第２挟持部９を形成する。一方、可動プレート７の上端部は固定プレート３の係合爪５へ係合している。
【００１４】
１０はねじりバネで、固定プレート３と可動プレート７との間の注出管１部分上に載置され、かつ一端部を固定プレート３に形成された縦溝へ、他端部を可動プレート７に形成された縦溝へ、それぞれ嵌合させている。
１２は連結管で、注出管１の基端部内面へ嵌着させた小径筒部１３基端から外向きフランジを介して大径筒部１４を突設し、かつ該大径筒部をタンク等の容器の排出管１５外面へ螺合させている。
【００１５】
次に本実施形態の作用について説明する。
上述のように図１及び図２はピンチコックの開状態を示しており、可動プレート７はバネ１０の付勢力に抗してその上端部を係合爪５へ係合させ、一方、下端部の第２挟持部９は第１挟持部４から離間して、液体が流出可能に柔軟管２を開放している。
【００１６】
ピンチコックを閉じるには、固定プレート３の係合爪５を押し上げて上方へ弾性変形させることにより可動プレート７の上端部から離脱させればよく、すると可動プレート７はバネ１０の付勢力により図３および図４に示すように時計方向へ回動して第２挟持部９が第１挟持部４に当接して柔軟管２を挟持するため、液体の流出が阻止される。
【００１７】
【発明の効果】
請求項１に係る発明は、固定プレートと可動プレートとを形成して、可動プレートの押圧操作で柔軟管を開放可能に設けたので、ばねを狭めることでゴム管を開放する従来例に比較して開操作が容易である。
【００１８】
請求項２に係る発明は、可動プレートを開位置に保持させる係合部を設けたので、柔軟管を開放状態に保持することが容易である。
請求項３に係る発明は、可動プレートを閉位置方向へ付勢するバネを設けたので、柔軟管の挟持を自動的に行うことができる。
【００１９】
請求項４に係る発明は、可動プレートの長孔を注出管外面へ挿入して枢着させたので、可動プレートの回動角度を小さくできると共に、コックのコンパクト化を図ることができる。
【図面の簡単な説明】
【図１】本発明に係るピンチコックの開状態を示す縦断面図。
【図２】同じく、図１の斜視図。
【図３】同じく、ピンチコックの閉状態を示す縦断面図。
【図４】同じく、図３の斜視図。
【符号の説明】
１  注出管
２  柔軟管
３  固定プレート
４  第１挟持部
５  係合部
７  可動プレート
８  長孔
９  第２挟持部
１０  バネ
【図１】
0004297402.tif 000002
【図２】
0004297402.tif 000003
【図３】
0004297402.tif 000004
【図４】
0004297402.tif 000005